(57)【特許請求の範囲】
【請求項１】
空気テント内において、地面敷設用として用いられるシートであって、独立気泡を有するシート状軟質プラスチックフォーム全体を、エラストマー面が内側になるようにエラストマーコーティング積層布で袋状にカバーし、縫製により一体化したことを特徴とする空気テントの付帯保温用シート。
【請求項２】
独立気泡を有するシート状軟質プラスチックフォームが、気孔率２０〜５０％のポリエチレンフォームである請求項１記載の空気テントの付帯保温用シート。
【請求項３】
エラストマーコーティング積層布が、合成繊維又は天然繊維からなる布地の片面にゴム又はポリウレタンによるコーティング加工を施し、かつ反対面に防水加工を施したものである請求項１又は２記載の空気テントの付帯保温用シート。
【請求項４】
全体の厚さが３〜１５mmである請求項１、２又は３記載の空気テントの付帯保温用シート。
【発明の詳細な説明】
【０００１】
【発明の属する技術分野】
本発明は、新規な空気テントの付帯保温用シートに関し、さらに詳しくは、コンパクトに折りたたみが可能で、収納が容易であって、表面に付着した汚れを落としやすい上、防水性、保温性、緩衝性に優れ、かつ保温性及び緩衝性の耐久性が良好であり、しかも空気テントの寸法に合わせて任意の寸法に作製しうる、テント内における地面敷設用として使用される空気テントの付帯保温用シートに関するものである。
【０００２】
【従来の技術】
近年、空気を充填することにより展張される空気テントは、多くの場所において用いられている。例えば、災害時の傷病者の一時収容や救助隊員の休憩場所として、あるいはレジャー用、建設現場の仮倉庫、各種イベントや地鎮祭などの催会場などとして使用されている。これらの用途の中で、特に災害時の傷病者の一時収容や人工呼吸、救助隊員の休憩のための場所、あるいはレジャー用などとして用いる場合には、テント内において、傷病者や救助隊員、レジャーを楽しむ人達が、横になるための保温用シートが必要となる。テント内における地面敷設用シートとしては、一般にポリ塩化ビニル敷布が用いられている。しかしながら、このポリ塩化ビニル敷布においては、緩衝効果及び保温効果がないため、地面の凹凸や冷たさなどが、敷布を介して人に伝播しやすく、保温用シートとしては利用できない。
したがって、前記用途に用いられる保温用シートとしては、従来、ポリエチレンフォームシートがそのまま使用されたり、あるいは独立空気室、いわゆるエアキャップを有するシートを布などで袋状にカバーしたものなどが使用されている。しかしながら、ポリエチレンフォームシートをカバーすることなく、そのまま使用した場合には、表面が汚れやすく、しかもその汚れが落ちにくいという問題が生じる。また、表面の汚れを防止するために、ポリエチレンフォームシートの両表面を布や他のシートで単にカバーして使用した場合には、周縁端部がめくれやすく、例えば救助隊員などがつまずく原因となる。
一方、エアキャップを有するシートを布などで袋状にカバーした保温用シートにおいては、その上を歩行する程度で独立空気室が破損し、保温用としての効果が損なわれやすく、しかも、独立空気室構造であるので、コンパクトに折りたたむことができず、収納及び運搬が困難であり、かつ折りたたまれた部分の独立空気室が破損するおそれがある上、折りたたんだ際、嵩張るため、製作寸法が限定されるのを免れないなどの欠点がある。
図１は、空気テント内に敷設される従来の保温用シートの１例の斜視図（ａ）及び部分断面図（ｂ）であって、独立空気室２を有するシート１を、カバー布３により袋状にカバーし、縫製により一体化した構造を示す。なお、図１（ａ）における破線部は縫着部である。
【０００３】
【発明が解決しようとする課題】
本発明は、空気テント内において、傷病者や救助隊員、レジャーを楽しむ人達が横になるために敷設される従来の保温用シートがもつ欠点を克服し、コンパクトに折りたたみが可能で、収納及び運搬が容易であって、表面に汚れが付着しにくく、また付着してもその汚れを落としやすい上、防水性、保温性、緩衝性に優れ、かつ保温性及び緩衝性の耐久性が良好であり、しかも空気テントの寸法に合わせて任意の寸法に作製しうる空気テントの付帯保温用シートを提供することを目的としてなされたものである。
【０００４】
【課題を解決するための手段】
本発明者は、前記の優れた機能を有する空気テントの付帯保温用シートを開発すべく鋭意研究を重ねた結果、独立気泡を有するシート状軟質プラスチックフォームを、エラストマーコーティング積層布で袋状にカバーし、縫製により一体化したものが、その目的に適合しうることを見い出し、この知見に基づいて本発明を完成するに至った。
すなわち、本発明は、
（１）空気テント内において、地面敷設用として用いられるシートであって、独立気泡を有するシート状軟質プラスチックフォーム全体を、エラストマー面が内側になるようにエラストマーコーティング積層布で袋状にカバーし、縫製により一体化したことを特徴とする空気テントの付帯保温用シート、
を提供するものである。
また、本発明の好ましい態様は、
（２）独立気泡を有するシート状軟質プラスチックフォームが、気孔率２０〜５０％のポリエチレンフォームである第(１)項記載の空気テントの付帯保温用シート、
（３）エラストマーコーティング積層布が、合成繊維又は天然繊維からなる布地の片面にゴム又はポリウレタンによるコーティング加工を施し、かつ反対面に防水加工を施したものである第(１)、(２)項記載の空気テントの付帯保温用シート、
及び
（４）全体の厚さが３〜１５mmである第(１)、(２)、(３)項記載の空気テントの付帯保温用シート、
である。
【０００５】
【発明の実施の形態】
本発明の空気テントの付帯保温用シートは、空気テント内の地面に敷設されるものであって、シート状軟質プラスチックフォームとエラストマーコーティング積層布とから構成されている。
前記シート状軟質プラスチックフォームとしては、保温性の面から、独立気泡を有するものが用いられる。気孔率としては、一般には２０〜５０％の範囲が好ましい。軟質プラスチックフォームとしては、特に制限はなく、各種のもの、例えばポリエチレンフォーム、軟質ポリウレタンフォーム、エチレン−酢酸ビニル共重合樹脂（ＥＶＡ）フォーム、軟質ポリ塩化ビニルフォーム、ラバーフォームなどが挙げられるが、これらの中で、性能及び価格などの面から、特にポリエチレンフォームが好適である。
このシート状軟質プラスチックフォームの厚さは、使用状況、例えば人工呼吸を施す場合や単に休憩する場合などに応じて異なるが、通常は１〜１３mm程度である。さらに、形状としては特に制限はないが、一般的には四角形状であり、またサイズは、空気テントの広さに応じて適宜選ばれる。
一方、エラストマーコーティング積層布としては特に制限はないが、例えば合成繊維又は天然繊維からなる布地の片面にゴム又はポリウレタンによるコーティング加工を施し、かつ反対面に防水加工を施したものが好ましく用いられる。上記合成繊維又は天然繊維としては、例えばポリアミド繊維、ポリエステル繊維、ポリプロピレン繊維などを好ましく挙げることができるが、これらの中で、耐候性、強度、価格などの点から、特にポリアミド繊維が好適である。
前記繊維からなる布地の厚さは、通常０.５〜１.５mm程度であり、またこの布地の片面にコーティング加工されたゴム層又はポリウレタン層の厚さは、通常０.０５〜０.２５mm、好ましくは０.１〜０.２mmの範囲である。
【０００６】
さらに、この布地のコーティング層に対して反対面に施される防水加工方法については特に制限はなく、従来布地の防水加工において慣用されている方法を用いることができる。この防水加工方法としては、例えば通気性撥水防水剤を使用する通気性防水加工方法と、高分子材料からなる防水剤を布地の表面にコーティングする不通性防水加工法とがあり、いずれも用いることができるが、本発明では、保温性をより向上させるために不通性防水加工法を採用するのが有利である。
布地の表面にこのような防水加工を施すことにより、本発明シートの表面が汚れにくく、また、汚れてもその汚れを容易に落とすことができる上、保温性がさらに向上する。
本発明の保温用シートは、前記のシート状軟質プラスチックフォーム全体を、前記エラストマーコーティング積層布を用いてそのエラストマー面が内側になるように袋状にカバーし、縫製により一体化することにより、作製される。
本発明の保温用シートの厚さとしては特に制限はなく、該シートの使用状況に応じて異なるが、一般的には３〜１５mmの範囲で選定される。そして、人工呼吸を施す場合には３〜７mmの範囲が好ましく、また単に休憩する場合には８〜１５mmの範囲が好ましい。また、サイズは特に制限はなく、空気テントの広さに応じて適宜選定すればよい。
本発明の保温用シートは、地面に直接敷設してもよいし、テント内で通常用いられるポリ塩化ビニル敷布を介して敷設してもよい。
【０００７】
【実施例】
次に、本発明の実施態様について、添付図面に従い説明する。
図２は、本発明の空気テントの付帯保温用シートの１例の斜視図（ａ）及び部分断面図（ｂ）であって、エラストマーコーティング層５ｂを有し、その反対面に不通性防水加工（図示せず）が施されたナイロン製布地５ａからなるエラストマーコーティング積層布５が、該コーティング層５ｂを内側にして、独立気泡を有するポリエチレンフォームシート４を袋状にカバーし、縫製により一体化された構造を示している。なお、図２（ａ）において破線部は縫着部である。
【０００８】
【発明の効果】
本発明の空気テントの付帯保温用シートは、空気テント内の地面敷設用であって、下記の効果を奏する。
（１）コンパクトに折りたたみが可能で、収納及び運搬が容易である。
（２）表面に汚れが付着しにくく、また付着してもその汚れを落としやすい。
（３）防水性、保温性、緩衝性に優れ、かつ保温性及び緩衝性の耐久性が良好である。
（４）空気テントの寸法に合わせて任意の寸法に作製しうる。
本発明の保温用シートは、例えばテント内において、傷病者や救助隊員、レジャーを楽しむ人達が横になるためのシートとして、特に、人工呼吸を施す際の傷病者の横臥用シートとして好適である。
【図面の簡単な説明】
【図１】図１は、空気テント内に敷設される従来の保温用シートの１例の斜視図（ａ）及び部分断面図（ｂ）である。
【図２】図２は、本発明の空気テントの付帯保温用シートの１例の斜視図（ａ）及び部分断面図（ｂ）である。
【符号の説明】
１  独立空気室を有するシート
２  独立空気室
３  カバー布
４  独立気泡を有するポリエチレンフォームシート
５  エラストマーコーティング積層布
５ａ  不通性防水加工されたナイロン製布地
５ｂ  エラストマーコーティング層
【図１】
0003793630.tif 000002
【図２】
0003793630.tif 000003